(57)【要約】【課題】ファンケースの上壁部を回転羽根体の羽根との間隙を調節することにより、送風量を簡単な構成によって効率よく変更すると共に、穀稈の量や屑類の発生が多い青材等の状況に応じた送風調節を効率よく行うことができる送風ファンを備えた脱穀機を提供する。【解決手段】扱室２の下方に脱穀物を受けて揺動選別する揺動選別体７を備えると共に、回転羽根体３０を内装するファンケース２６の送風口３５から、揺動選別体７の揺動選別方向に選別風を供給する送風ファン５を設けた脱穀機１であって、前記ファンケース２６の送風口３５側の上壁部３２を、回転羽根体３０の回転方向下手側に位置させる支点軸４１を支点に上下方向に回動操作自在に設け、上壁部３２と回転羽根体３０の羽根２９との間隙を調節することにより、送風量を変更可能に構成している。 【選択図】図４
2010057430.tif 000002
【特許請求の範囲】
【請求項１】
扱室（２）の下方に脱穀物を受けて揺動選別する揺動選別体（７）を備えると共に、回転羽根体（３０）を内装するファンケース（２６）の送風口（３５）から、揺動選別体（７）の揺動選別方向に選別風を供給する送風ファン（５）を設けた脱穀機（１）において、前記ファンケース（２６）の送風口（３５）側の上壁部（３２）を、回転羽根体（３０）の回転方向下手側に位置させる支点軸（４１）を支点に上下方向に回動操作自在に設け、上壁部（３２）と回転羽根体（３０）の羽根（２９）との間隙を調節することにより、送風量を変更可能に構成したことを特徴とする脱穀機。
【請求項２】
ファンケース（２６）の送風口（３５）側の下壁部（３３）を、回転羽根体（３０）の回転方向上手側に位置させる支点軸（４１ａ）を支点に上下方向に回動操作自在に設け、下壁部（３３）と羽根（２９）との間隙を調節することにより送風量を変更可能にすると共に、下壁部（３３）の回動を上壁部（３２）の回動と連動させて送風量の変更を行なう請求項１記載の脱穀機。
【発明の詳細な説明】
【技術分野】
【０００１】
本発明は、コンバイン等に搭載可能な脱穀機に関する。
【背景技術】
【０００２】
一般に、コンバイン等の走行機体に搭載される脱穀機は、前側の送風ファンと後側の吸引排塵ファンによって形成される選別風路中に、扱室等から漏下した穀粒や藁屑等の脱穀物を受けて選別する揺動選別体を揺動自在に設けている。
従来、このような脱穀機において、送風ファンによって生起される選別風量を増減調節する選別風調節構造は、送風ファン（唐箕）のファンケースにエアー排出用のスリットを設け、該スリットに蓋カバーを開閉自在に設けることにより、送風ファンによって生起される選別風を機械的に増減調節するようにしたものが既に公知である（例えば特許文献１。）。
【特許文献１】実開平４−３５３８号
【発明の開示】
【発明が解決しようとする課題】
【０００３】
上記特許文献１で示される脱穀機は、多量の穀稈を脱穀するときは、蓋を閉じ側に作動させて選別風を強くすると共に、穀稈量が少ないときは蓋を開き側にして選別風を弱くするので、穀稈量に応じた選別風量を自動的に増減調節することができる。
然しながら、上記選別風調節構造は風量を調節するために、ファンケースにエアー排出用のスリットを幅方向に開口する方式であるため、回転羽根体によってファンケースに吸い込んだエアーを、複数の羽根がスリットから間歇的で且つ強制的に漏出させるので、強弱の断続的な脈流を有する不安定な送風になって揺動選別体に供給する欠点があると共に、選別精度を必要とする送風量の増減調節が、蓋の開度調節によってファンケース内のエアーの漏れ出し量を増減して行なうために困難となる等の問題がある。
【課題を解決するための手段】
【０００４】
上記目的を達成するため本発明による脱穀機は、第1に、扱室２の下方に脱穀物を受けて揺動選別する揺動選別体７を備えると共に、回転羽根体３０を内装するファンケース２６の送風口３５から、揺動選別体７の揺動選別方向に選別風を供給する送風ファン５を設けた脱穀機１において、前記ファンケース２６の送風口３５側の上壁部３２を、回転羽根体３０の回転方向下手側に位置させる支点軸４１を支点に上下方向に回動操作自在に設け、上壁部３２と回転羽根体３０の羽根２９との間隙を調節することにより、送風量を変更可能に構成したことを特徴としている。
第２に、ファンケース２６の送風口３５側の下壁部３３を、回転羽根体３０の回転方向上手側に位置させる支点軸４１ａを支点に上下方向に回動操作自在に設け、下壁部３３と羽根２９との間隙を調節することにより送風量を変更可能にすると共に、下壁部３３の回動を上壁部３２の回動と連動させて送風量の変更を行なうことを特徴としている。
【発明の効果】
【０００５】
上記構成を備えた脱穀機は次のような効果を奏する。請求項１の発明によれば、ファンケースの上壁部を、回転羽根体の回転方向下手側で支点軸を支点に羽根との間隙を調節するので、送風量を簡単な構成によって確実に変更することができる。また揺動選別体に対し脱穀時に屑類の発生が多い穀稈の状況等に応じた送風調節を、脈動を抑制し整流状態で安定的に行うことができ、穀粒と屑類を確実に分離させる風選別を精度よく行い、選別負荷を低減した揺動選別をスムーズにすることができる。
また請求項２の発明によれば、ファンケースの下壁部を、回転羽根体の回転方向上手側で支点軸を支点に羽根との間隙を調節することにより送風量を調節自在とし、下壁部の回動と上壁部の回動を連動させて送風量の調節を行なうため、上壁部と下壁部の作動量を少なくしながら送風量の調節をより広い範囲で安定的に行うことができる。
【発明を実施するための最良の形態】
【０００６】
本発明の一実施の形態を図面に基づいて説明する。図１，図２において符号１はコンバインやハーベスタ等の収穫機１ａに搭載される脱穀機である。この脱穀機１は扱室２に沿ってフィードチェン３を前後方向に張設し、フィードチェーン３で搬送される穀稈を扱室２の前側板と後側板に支持した扱胴２ａの回動により脱穀処理する。また扱室２の後方側方に処理胴と処理網により形成される処理室４を連設し、扱室２の下方に送風ファン５を設置し処理室４の後部側方に吸引排塵ファン６を配置している。この送風ファン５と吸引排塵ファン６によって扱室２と処理室４の下方に前後方向に連通する選別風路を形成し、該選別風路中に揺動選別体７を前後方向に揺動可能に設置している。
【０００７】
上記構成により脱穀機１は、扱室２の受網２ｂと処理室４の処理網を漏下した脱穀物を揺動選別体７の篩選別と風選別とにより選別し、籾を一番ラセン８を介して穀粒タンク８ａに収容し、未処理選別物は二番ラセン９を介し揺動選別体７上に還元し、且つ選別された藁屑は吸引排塵ファン６によって機外に吸引排出する。また扱室２の後方には穀粒を回収する４番口１０、及び４番漏斗壁１１を設け、脱粒処理された排稈をフィードチェーン３から排稈搬送装置１２へ受け継ぎ搬送し、後方のカッター等の排稈処理装置１２ａにより処理する構成としている。
【０００８】
そして、脱穀機１は在来のものと同様な構成からなる揺動選別体７を、扱室２の直下に位置させる無孔の波板からなるグレンパン１３と、複数の篩板を前後方向に粗間隔を有して列設したチャフシーブ１４と、穀粒を濾過させるクリンプ網からなる穀粒濾過網１５とを上中下段に設けている。即ち、揺動選別体７は、グレンパン１３とチャフシーブ１４との間に第１選別風路１６を形成し、選別チャフシーブ１４と穀粒濾過網１５との間に第２選別風路１７を形成し、穀粒濾過網１５と一番ラセン８と該一番ラセン８の底板１９の間に第３選別風路２０を形成している。上記底板１９は一番ラセン８に沿うように屈曲形成した樋部２１と、該樋部２１の前後に上向傾斜で一体的に形成した前側底板２２と後側底板２３とからなる。これにより第３選別風路２０は、一番ラセン８及び前側底板２２と後側底板２３等の上方に形成されて、選別風を穀粒濾過網１５を通過させて風選別することができる。
【０００９】
上記送風ファン５は、脱穀機１の左右の側壁２５，２５間で揺動選別体７のグレンパン１３下方位置にドラム状のファンケース２６を形成し、該ファンケース２６の中心に回転軸２７に板状の羽根２９を放射状に設けてなる回転羽根体３０を横向に軸支し、ファンケース２６内で左右の側壁２５，２５に形成した吸気口３１から、回転羽根体３０の矢印方向の回転によりエアー（外気）を吸い込み、このエアーをファンケース２６の上壁部３２と下壁部３３の間で形成される送風口３５から前記揺動選別体７側に圧送供給する構成にしている。
【００１０】
そして、送風口３５と揺動選別体７との間で側壁２５，２５の間において、上記エアーを上下に分岐案内する仕切壁３６，３７を設けることにより、揺動選別体７が有する各選別風路と連通させている。即ち、仕切壁３６は上壁部３２との間に前記第１選別風路１６と連通する第１送風路１６ａを形成し、仕切壁３７は下壁部３３との間に第３選別風路２０と連通する第３送風路２０ａを形成し、且つ仕切壁３６との間に第２選別風路１７と連通する第２送風路１７ａを形成している。
【００１１】
上記構成において送風ファン５は、送風口３５側に本発明に係わる送風調節構造４０を構成することにより、送風口３５の開口高さ（上下幅）を変え送風口面積を調節し各仕切壁３６，３７を介し、揺動選別体７側への送風量を調節して、穀稈の状況に応じた風選別を供給することができるようにしている。
即ち、図２〜図４で示すように送風調節構造４０は、上壁部３２の基部を回転羽根体３０の回転方向下手側（ファンケース２６の上頂点部前方）に回動自在に軸支した支点軸（取付軸）４１に取付け、該支点軸４１を後述する調節機構４２によって正逆回転させることにより、上壁部３２を上下回動させて羽根２９の先端が描く回転軌跡に遠近させ両者で形成する間隙を大小調節すると共に、仕切壁３６との間に形成される第１送風路１６ａの間隔を変えるようにしている。
【００１２】
これにより調節機構４２の作動によって上壁部３２が、実線の標準送風位置から点線Ａで示す強送風側に移動すると、上壁部３２は前記羽根２９の回転軌跡に近接すると共に、先端部が下動し送風口３５の上下幅を狭くするので、吸気口３１から吸い込んだエアーを上記間隙によってこの部で乱流を生ずることを抑制し効率よく整流状態で送り出し、且つ送風口３５で絞り込むため、脈動を伴うことなく安定的な強い風力となって揺動選別体７に供給することができる。
これにより揺動選別体７は屑類の発生が多い多量穀稈の脱穀や濡れ材並びに青材等の脱穀を行なう際に、第１送風路１６ａ，第２送風路１７ａ，第３送風路２０ａを介し、それぞれ第１選別風路１６，第２選別風路１７，第３選別風路２０に整流状態の安定的な強風を送り、各選別風路による選別を適切に行い穀粒と屑類を精度よく分離させると共に選別負荷を低減することができる。
【００１３】
また圃場のコーナー部の刈り取り等を行う場合のように、脱穀される穀稈が少量であるとき、調節機構４２の作動によって上壁部３２を、点線Ｂで示す弱送風側に移動させると、上壁部３２は前記羽根２９の回転軌跡から離間すると共に、先端部が下壁部３３から離れて送風口３５の上下幅を広くするので、吸気口３１から吸い込んだエアーは広い送風口３５から拡散状態となること、及び羽根２９の先端と上壁部３２との大きな間隙によって乱流を生じさせることにより、送風並びに吸い込み効率を低下させて揺動選別体７側への送風量を少なくし弱風にすることができる。
これにより揺動選別体７は脱穀物を強く風選別しないで緩やかな風によって選別するので、穀粒の飛散を防止した選別を効率よく行うことができる。
【００１４】
また図４に示すように上壁部３２は下方に湾曲した先端部に、上方に立ち上がり前記仕切壁３６と略平行状をなすように第１送風路１６ａを形成する風路ガイド４３を設けている。これにより上壁部３２によって揺動選別体７側に送風を案内する風路ガイドを簡単な構造にすることができる。
尚、この風路ガイド４３の上方に図４で示すように、補助風路ガイド４５を設ける場合は、該補助風路ガイド４５の先端に可撓性を有するラバー状の閉鎖板４６を取付けて、上記風路ガイド４３に接触させるようにすることが望ましい。
【００１５】
次に下壁部３３の送風調節構造４０ａについて同図を参照し説明する。下壁部３３はその基部を回転羽根体３０の回転方向上手側（ファンケース２６の下頂点部前方）に回動自在に軸支した支点軸４１ａに取付け、該支点軸４１ａを前記調節機構４２と同じ機構の調節機構によって正逆回転させることにより、下壁部３３を上下回動させ羽根２９の先端が描く回転軌跡に遠近させると共に、送風口３５の上下幅を変え送風量を調節することができ、また仕切壁３７との間に形成される第３送風路２０ａの間隔を変えることができる。
また図示例の下壁部３３は先端部に連結軸４７を介し平板状の中継下壁４９を上下動自在に接続しており、該中継下壁４９の先端部を前側底板２２に対しスライド自在に支持している。
【００１６】
実施形態における前側底板２２は図４に示すように、その前部先端側をファンケース２６側に屈曲延長することにより支持板部２２ａを形成しており、該支持板部２２ａに中継下壁４９の先端部を載せている。これにより支点軸４１ａを中心に下壁部３３が上下動すると、中継下壁４９は連結軸４７を介し上下動する際に先端部を支持板部２２ａに沿ってスライド移動させ、送風口３５から送られるエアーを漏出させることなく揺動選別体７側にスムーズに送るようにしている。
【００１７】
即ち、前記上壁部３２の作動操作と同様に調節機構の作動によって、下壁部３３が実線の標準送風位置から点線Ａで示す強送風位置側に移動すると、下壁部３３は前記羽根２９の回転軌跡に近接して両者の間隙を小さくすると共に、先端部が上壁部３２に近接し送風口３５を狭くするため、吸引されたエアーを送風口３５で絞り込み強い風力となして揺動選別体７に供給することができる。これにより前記上壁部３２の送風調節構造４０と同様に、屑類の発生が多い多量穀稈の脱穀や濡れ材並びに青材等の選別を良好に行うことができる。
【００１８】
またコーナー部の刈り取り等を行う場合のように脱穀される穀稈が少量であるとき、調節機構の作動によって下壁部３３を、点線Ｂで示す弱送風側に移動すると、下壁部３３は羽根２９の回転軌跡から離間すると共に、先端部が上壁部３２から離れて送風口３５の上下幅を広くする。これにより吸気口３１から吸い込んだエアーは広い送風口３５から拡散状態となること、及び羽根２９の先端と下壁部３３との間で乱流を生じさせ、送風並びに吸い込み効率を低下させて揺動選別体７側への送風量を少なくし弱風にする。
従って、揺動選別体７は脱穀物を強く風選別しないで緩やかな風で選別するので、穀粒の飛散を防止した選別を効率よく行うことができる。
【００１９】
次に図３を参照し前記調節機構４２について説明する。尚、下壁部３３側の調節機構４２については同様な構成によって設けるので説明を省略する。図示例の調節機構４２は上壁部３２の基部に設ける支点軸４１の一側に扇形状のギア５０を設け、該ギア５０にファンケース２６の外側に取付支持したモータ５１が有する駆動ギア５２を噛合させており、これによりモータ５１の正逆回転に基づき、駆動ギア５２及びギア５０並びに支点軸４１を介して上壁部３２を上下回動させる。
【００２０】
また実施形態の調節機構４２は図１に示すように、例えば、図５で示すポテンショメータ５５ａを有するダイヤル型の操作部材５５を操縦部５３の操縦パネル部５４に設置し、該操作部材５５とモータ５１と、図３では支点軸４１の端部に設けて上壁部３２の回動量を検出するポテンショメータ５６とを、図６で示すようにマイコン５７に接続した回動制御構造を備えている。
また上壁部３２と下壁部３３とは同じ回動制御構造を有する調節機構４２により、互いの送風調節を同時に行なうように連携させる構造にしている。
【００２１】
以上のように構成される脱穀機１はコンバイン作業時に、操作部材５５を標準送風側に操作すると、各モータ５１がそれぞれ上壁部３２と下壁部３３を図４で示す実線位置に位置決め保持するので、標準的な穀稈を揺動選別するに適切な送風を吸引排塵ファン６の吸引作用と相俟って揺動選別体７に供給することができ、標準的な穀稈を脱穀するときに生ずる脱穀物の選別を適正に行うことができる。
【００２２】
また屑類の発生が多い穀稈を刈取脱穀する場合に、操作部材５５を強送風側に操作すると、上壁部３２と下壁部３３は共に連動して設定された位置で羽根２９に近接し、点線Ａで示すように両者の間隙を小さくし、且つ送風口３５の上下幅を狭めた位置に保持される。
これにより送風ファン５は吸気口３１から吸い込んだエアーを、送風口３５から整流状態で送風量を大きくして揺動選別体７の各選別風路に供給するので、脱穀物は強い風を受けて屑類から穀粒を確実に分離して回収することができる。また藁屑類の排出も揺動選別体７から吸引排塵ファン６へと機外にスムーズに排出されるので、排塵物の還元量を増大させることなく揺動選別体７の選別精度を向上させると共に、選別負荷を低減し高能率なコンバイン作業を可能にする。
【００２３】
またファンケース２６の上壁部３２と下壁部３３は、操作部材５５の操作により、共に各支点軸４１，４１ａを支点に、羽根２９との間隙を調節するように回動を連動させて送風量の調節を行なうため、上壁部３２のみで送風量を調節する場合に比し、上壁部３２と下壁部３３との回動作動量を約半分程度に少なくすることができる。従って、送風ファン５に対する送風調節構造４０，４０ａの設置をコンパクトに纏めて省スペースに設置することができ、且つ送風量の調節を精度よく広い範囲で安定的に行うことができる等の利点がある。
【００２４】
尚、実施形態では上壁部３２及び下壁部３３の操作は、電気的手段によって行なう例を示したが、これに限定することなく機械的又は人為的に行うようにしてもよい。また上壁部３２及び下壁部３３を作動させるアクチュエータは、モータの他に油圧シリンダやネジ或いはカム機構等によっても行うことができる。
【図面の簡単な説明】
【００２５】
【図１】本発明が適用された脱穀機を搭載したコンバインの平面図である。
【図２】図２の脱穀機の構成を示す側断面図である。
【図３】図２の脱穀機の送風ファンの構成を示す斜視図である。
【図４】図３の送風ファンの構成を示す側断面図である。
【図５】操作部材の形態を示す平面図である。
【図６】回転制御装置のブロック図である。
【符号の説明】
【００２６】
１    脱穀機
２    扱室
５    送風ファン
６    吸引排塵ファン
７    揺動選別体
２６  ファンケース
２９  羽根
３０  回転羽根体
３２  上壁部
３３  下壁部
３５  送風口
４１  支点軸
５５  操作部材
【図１】
2010057430.tif 000003
【図２】
2010057430.tif 000004
【図３】
2010057430.tif 000005
【図４】
2010057430.tif 000006
【図５】
2010057430.tif 000007
【図６】
2010057430.tif 000008